(57)【要約】光透過性パネルアセンブリは、第１のパネルと、第２のパネルと、第１のパネルと第２のパネルとの間の間隙と、間隙内に配置された第１の能動部品と、を含む。第１の能動部品は、制御可能な光透過特性を有する。【選択図】図１２
2020537175.tif 000002
【特許請求の範囲】
【請求項１】
第１のパネルと、
第２のパネルと、
前記第１のパネルと前記第２のパネルとの間の間隙と、
前記間隙内に配置された第１の能動部品であって、制御可能な光透過特性を有する、第１の能動部品と、を備える、光透過性パネルアセンブリ。
【請求項２】
前記第１の能動部品が、接着剤によって前記第１のパネルに接続されている、請求項１に記載の光透過性パネルアセンブリ。
【請求項３】
前記第１の能動部品を前記第１のパネルから離隔し、前記第１の能動部品を前記第２のパネルから離隔するスペーサを備える、請求項１に記載の光透過性パネルアセンブリ。
【請求項４】
前記スペーサが、前記間隙内に前記第１の能動部品を懸架する支持構造体を含む、請求項３に記載の光透過性パネルアセンブリ。
【請求項５】
前記間隙内に配置された第２の能動部品であって、制御可能な発光特性を有する、第２の能動部品をさらに備える、請求項１に記載の光透過性パネルアセンブリ。
【請求項６】
前記第１の能動部品が前記第１のパネルに隣接し、前記第２の能動部品が前記第２のパネルに隣接し、前記第１の能動部品が前記第２のパネルから離隔している、請求項５に記載の光透過性パネルアセンブリ。
【請求項７】
前記第１のパネルが、外部空間に隣接する第１の表面と、第２の表面とを有し、
前記第２のパネルが、第１の表面と、内部空間に隣接する第２の表面とを有し、
前記第１の能動部品が、前記第１のパネルの前記第２の表面に取り付けられ、
前記第２の能動部品が、前記第２のパネルの前記第１の表面に取り付けられる、請求項５に記載の光透過性パネルアセンブリ。
【請求項８】
前記第１の能動部品が、半透明状態と不透明状態との間で可変である、請求項１から７のいずれか１項に記載の光透過性パネルアセンブリ。
【請求項９】
前記第１の能動部品が、半透明状態と反射状態との間で可変である、請求項１から７のいずれか１項に記載の光透過性パネルアセンブリ。
【請求項１０】
前記第２の能動部品がエッジライト型ガラスパネルである、請求項５から９のいずれか１項に記載の光透過性パネルアセンブリ。
【請求項１１】
前記エッジライト型ガラスパネルが照明デバイスを含む、請求項１０に記載の光透過性パネルアセンブリ。
【請求項１２】
前記第１のパネルと前記第２のパネルとの間に配置されており、前記第１のパネルを前記第２のパネルから離隔させて前記間隙を画定するスペーサをさらに備え、前記照明デバイスが前記スペーサに対して外側に位置している、請求項１１に記載の光透過性パネルアセンブリ。
【請求項１３】
フレームをさらに備え、前記第１のパネルの外縁が前記照明デバイスに対して外向きに延在し、前記第１のパネルの前記外縁が前記フレームによって支持されている、請求項１２に記載の光透過性パネルアセンブリ。
【請求項１４】
前記第１のパネルが積層構造であり、
前記第２のパネルが積層構造である、請求項５に記載の光透過性パネルアセンブリ。
【請求項１５】
前記第１の能動部品が接着剤によって前記第１のパネルに接続されており、
前記第２の能動部品が接着剤によって前記第２のパネルに接続されている、請求項１４に記載の光透過性パネルアセンブリ。
【発明の詳細な説明】
【技術分野】
【０００１】
関連出願の相互参照
本出願は、２０１７年１０月１２日に出願され、「Ｌｉｇｈｔ  Ｔｒａｎｓｍｉｔｔｉｎｇ  Ｐａｎｅｌ  ｗｉｔｈ  Ａｃｔｉｖｅ  Ｃｏｍｐｏｎｅｎｔｓ」と題する米国特許出願第Ｎｏ．６２／５７１，４７０号の利益を主張する。本出願は、２０１８年５月１８日に出願され、「Ｌｉｇｈｔ  Ｔｒａｎｓｍｉｔｔｉｎｇ  Ｐａｎｅｌ  ｗｉｔｈ  Ａｃｔｉｖｅ  Ｃｏｍｐｏｎｅｎｔｓ」と題する米国特許出願第Ｎｏ．１５／９８３，１５２号の利益を主張する。これらの出願の内容は、その全体があらゆる目的で、参照により本明細書に組み込まれる。
【０００２】
本出願は、全般に、光透過性パネルに関する。
【背景技術】
【０００３】
ガラスおよびいくつかのプラスチックから作製されたパネルは、光の透過を可能にし、また、熱および音の伝達も可能にすることができる。
【発明の概要】
【０００４】
開示される実施形態の一態様は、第１のパネルと、第２のパネルと、第１のパネルと第２のパネルとの間の間隙と、間隙内に配置された第１の能動部品(active component)と、を含む光透過性パネルアセンブリである。第１の能動部品は、制御可能な光透過特性を有する。
【０００５】
光透過性パネルアセンブリのいくつかの実施形態では、第１の能動部品は、接着剤によって第１のパネルに接続されている。
【０００６】
いくつかの実施形態では、光透過性パネルアセンブリは、第１の能動部品を第１のパネルから離隔し、第１の能動部品を第２のパネルから離隔するスペーサを備える。スペーサは、間隙内に第１の能動部品を懸架する支持構造体を含んでもよい。
【０００７】
いくつかの実施形態では、光透過性パネルアセンブリは、間隙内に配置された第２の能動部品を含み、第２の能動部品は制御可能な発光特性を有する。第１の能動部品は第１のパネルに隣接していてもよく、第２の能動部品は第２のパネルに隣接していてもよく、第１の能動部品は第２のパネルから離隔されてもよい。第１のパネルは、外部空間に隣接する第１の表面と、第２の表面とを有してもよく、第２のパネルは、第１の表面と、内部空間に隣接する第２の表面とを有してもよく、第１の能動部品は、第１のパネルの第２の表面に取り付けられてもよく、第２の能動部品は、第２のパネルの第１の表面に取り付けられてもよい。
【０００８】
いくつかの実施形態では、第１の能動部品は、半透明状態と不透明状態との間で可変である。いくつかの実施形態では、第１の能動部品は、半透明状態と反射状態との間で可変である。
【０００９】
いくつかの実施形態では、第２の能動部品は、エッジライト型ガラスパネルである。エッジライト型ガラスパネルは、照明デバイスを含んでもよい。エッジライト型ガラスパネルは、第１のパネルと第２のパネルとの間に配置されており、第１のパネルを第２のパネルから離隔させて間隙を画定するスペーサを備えることができ、照明デバイスはスペーサに対して外側に位置している。エッジライト型ガラスパネルは、フレームを備えることができ、第１のパネルの外縁が照明デバイスに対して外側に延在し、第１のパネルの外縁がフレームによって支持されている。
【００１０】
光透過性パネルアセンブリのいくつかの実施形態では、第１のパネルは積層構造であり、第２のパネルは積層構造である。第１の能動部品は接着剤によって第１のパネルに接続されていてもよく、第２の能動部品は接着剤によって第２のパネルに接続されていてもよい。
【図面の簡単な説明】
【００１１】
【図１】第１の実施形態に係るフレームおよびパネルアセンブリを含むアセンブリを示す斜視図である。
【００１２】
【図２】パネルアセンブリの第１のパネルおよび第２のパネルを含む、図１の線２−２に沿ったアセンブリの断面図である。
【００１３】
【図３】図１のパネルアセンブリの第１のパネルおよび第２のパネルへのフレームの第１のフレーム部分の接続の一例を含む、図２に示された領域を示す詳細図である。
【００１４】
【図４】図１のパネルアセンブリの第１のパネルの第１の例示的構造を示す図である。
【００１５】
【図５】可変光透過を含む、図１のパネルアセンブリの第１のパネルに関する第１の例示的構造の第２の層の一例を示す図である。
【００１６】
【図６】図１のパネルアセンブリの第１のパネルの第２の例示的構造を示す図である。
【００１７】
【図７】図１のパネルアセンブリの第１のパネルの第３の例示的構造を示す図である。
【００１８】
【図８】図１のパネルアセンブリの第２のパネルの第１の例示的構造を示す図である。
【００１９】
【図９】図１のパネルアセンブリの第２のパネルの第２の例示的構造を示す図である。
【００２０】
【図１０】図１のパネルアセンブリの第２のパネルの第３の例示的構造を示す図である。
【００２１】
【図１１】図１のパネルアセンブリの第２のパネルの第４の例示的構造を示す図である。
【００２２】
【図１２】第２の実施形態によるパネルアセンブリの断面図を示す図である。
【００２３】
【図１３】第３の実施形態によるパネルアセンブリの断面図を示す図である。
【００２４】
【図１４】第４の実施形態によるパネルアセンブリの断面図を示す図である。
【００２５】
【図１５Ａ】第５の実施形態によるパネルアセンブリの断面図を示す図である。
【００２６】
【図１５Ｂ】第６の実施形態によるパネルアセンブリの断面図を示す図である。
【００２７】
【図１６】照明システムのブロック図である。
【００２８】
【図１７】コントローラのハードウェア構成の一例を示す図である。
【発明を実施するための形態】
【００２９】
本明細書の開示は、透明または半透明のパネルを含む窓などの光透過性パネルアセンブリを対象とする。光透過性パネルアセンブリは、空隙または空間とも称され得る間隙によって分離された第１の積層パネル構造および第２の積層パネル構造を含む。
【００３０】
いくつかの実施形態では、第１の積層パネル構造および第２の積層パネル構造はそれぞれ、活性で制御可能な構成要素を含む。一例として、第１の積層パネル構造は、制御可能な可変光透過デバイスを組み込んでもよく、第２の積層パネル構造は、照明を組み込んでもよい。活性で制御可能な構成要素を第１のパネル構造または第２のパネル構造に積層することにより、活性で制御可能な構成要素が損傷から保護されるように、１つ以上の他の層（例えば、透明ガラスまたはプラスチック層）によってアセンブリの外部から分離することができる。
【００３１】
他の実施形態では、活性で制御可能な構成要素は、積層構造内の構成要素を含まずに、第１のパネルと第２のパネルとの間の間隙に、またはそれに隣接して、位置している。この構成は、構成要素を損傷から保護すると同時に、第１のパネルまたは第２のパネルの一部として構成要素の積層を回避する。
【００３２】
図１は、フレーム１０２およびパネルアセンブリ１０４を含むアセンブリ１００を示す斜視図である。パネルアセンブリ１０４は、フレーム１０２によって支持されている。図示の実施例では、パネルアセンブリ１０４は、パネルアセンブリ１０４の周縁部がパネルアセンブリ１０４に接続されており、パネルアセンブリ１０４によって支持されているように、フレーム１０２によって周囲を囲まれている。
【００３３】
図２は、図１での線２−２に沿った、アセンブリ１００の断面図である。パネルアセンブリ１０４は、フレーム１０２の第１のフレーム部分２０２ａとフレーム１０２の第２のフレーム部分２０２ｂとの間に延在する。パネルアセンブリ１０４は、第１のパネル２０６および第２のパネル２０８を含む。第１のパネル２０６は、アセンブリ１００の第１の側２０１ａに隣接して配置されており、第２のパネル２０８は、アセンブリ１００の第２の側２０１ｂに隣接して配置されている。代表的な実施形態では、外部空間はアセンブリ１００の第１の側２０１ａに位置しており、内部空間はアセンブリ１００の第２の側２０１ｂに位置している。内部空間は、例として、建物の内部または車両の客室であってもよい。
【００３４】
本明細書でさらに記載されるように、能動部品は、アセンブリ１００の第１の側２０１ａからアセンブリ１００の第２の側２０１ｂへの光の透過を制御するために、第１のパネル２０６および第２のパネル２０８に含まれる。特に、第１のパネル２０６は、可変光透過特性を有し、第２のパネル２０８は、可変発光特性を有する。一例として、第１のパネル２０６は、アセンブリ１００の第１の側２０１ａからアセンブリ１００の第２の側２０１ｂへと通過する周囲光（例えば、太陽光）の量を変えるための可変光透過技術を組み込んでもよく、第２のパネル２０８は、アセンブリ１００の第２の側２０１ｂ上の空間に照明を提供する照明デバイスを組み込んでもよい。可変光透過にはまた、透明と反射との間の状態を変化させる切換え可能なミラーが含まれてもよい。能動部品は、人工光と自然光とを混合させることによって、所望の光強度および光品質の照明を提供するように制御することができる。一例として、切換え可能なミラー層または構成要素を発光デバイスから外側に位置合わせすることによって、より多くの光を内部空間に向けることができる。一実施例として、可変色調層または構成要素を発光デバイスから外向きに位置合わせすることによって、より少ない放射光が外部空間に向けられる。一例として、可変色調層または構成要素を発光デバイスから外向きに位置合わせすることによって、周囲光を遮断して、内部空間内の光強度および特性の制御を可能にできる。
【００３５】
図３は、フレーム１０２の第１のフレーム部分２０２ａをパネルアセンブリ１０４の第１のパネル２０６および第２のパネル２０８に接続する例を含む、図２に示された領域を示す詳細図である。フレーム１０２の第１のフレーム部分２０２ａは、第１のパネル２０６および第２のパネル２０８の縁部と係合する接続構造体を含む。図示した実施例では、チャネル３１０は、第１のフレーム部分２０２ａの側面上に形成され、内側に延在する。封止構造体３１２は、チャネル３１０内に設けられる。封止構造体３１２は、第１のフレーム部分２０２ａに対して第１のパネル２０６および第２のパネル２０８を支持する。封止構造体３１２は、空気および液体の通過を防止することができ、また、フレーム１０２の第１のフレーム部分２０２ａに対して第１のパネル２０６および第２のパネル２０８を緩衝することもできる。
【００３６】
第１のパネル２０６および第２のパネル２０８は、第１のパネル２０６の下面が第２のパネル２０８の上面から離隔されるように支持されている。一例として、第１のフレーム部分２０２ａおよび封止構造体３１２を含むフレーム１０２は、第１のパネル２０６と第２のパネル２０８との間の所望の間隔を維持するように構成できる。したがって、フレーム１０２は、第２のパネル２０８に対して第１のパネル２０６を支持する支持構造体として機能し、封止構造体３１２は、第１のパネル２０６と第２のパネル２０８との間に間隙３１４を画定するスペーサとして機能する。間隙３１４は、第１のパネル２０６と第２のパネル２０８とが分離される空間である。間隙３１４は、第１のパネル２０６と第２のパネル２０８との間の接触をなくし、第１のパネル２０６と第２のパネル２０８との間の熱および音の伝達を低減することができる。いくつかの実施形態では、間隙３１４は真空状態にされる。いくつかの実施形態では、間隙３１４は、アルゴン若しくは別の希ガスなどのガス、または空気などの気体の混合物で充填される。いくつかの実施形態では、間隙３１４は、第１のパネル２０６および／または第２のパネル２０８に一致する屈折率を有し得る液体またはゲルで充填されてもよい。フレーム１０２に加えて、第２のパネル２０８に対して第１のパネル２０６を支持し、間隙３１４を画定するために、フレームに隣接してスペーサを含むことができる。
【００３７】
例えば、第１のパネル２０６を第２のパネル２０８から離隔するために、別個のチャネルがフレーム１０２および／または封止構造体３１２内に形成され得る。第１のパネル２０６と第２のパネル２０８との間の間隔は、第１のパネル２０６と第２のパネル２０８との間の間隙３１４を画定する。一例として、第１のパネル２０６および第２のパネル２０８のそれぞれの幅は、２．０ｍｍ〜８．０ｍｍであり得、間隙３１４は、２．０ｍｍ〜１２．０ｍｍの幅を有し得る。１つの実施形態では、間隙３１４は、第１のパネル２０６および第２のパネル２０８に作用する自己重量および／または外力から生じた製造偏差および偏向を受ける４．０ｍｍの公称幅を有する。いくつかの実施形態では、間隙３１４の幅は第１のパネル２０６の幅よりも狭く、また、間隙３１４の幅は第２のパネル２０８の幅よりも狭い。いくつかの実施形態では、間隙３１４の幅は、第１のパネル２０６または第２のパネル２０８のうちの少なくとも１つの幅よりも狭い。いくつかの実施形態では、間隙３１４の幅は、第１のパネル２０６と第２のパネル２０８とを合わせた幅よりも狭い。
【００３８】
いくつかの実施形態では、封止構造体３１２は、外気が間隙３１４に入らないように間隙３１４の気密シールを画定する。間隙３１４が外気に対して封止される実施形態では、間隙３１４は大気圧の空気で充填されてもよく、または制御雰囲気が間隙３１４内に画定されてもよい。一実施形態では、間隙３１４は実質的に真空状態にされ、間隙３１４内の圧力は大気圧よりも著しく低い。他の実施形態では、実質的に純粋な窒素など、周囲空気以外のガスまたは気体混合物が間隙３１４内に存在してもよい。間隙３１４内に存在するガスまたは気体混合物は、間隙３１４に起因するノイズおよび断熱特性を高めるように選択され得る。
【００３９】
アセンブリ１００は、フレーム１０２から内側の位置で第１のパネル２０６と第２のパネル２０８との間に介在構造体が存在しないように構成することができる。このような実施形態では、間隙３１４は、フレーム１０２から内側の全ての位置で連続的であり、中断されない。他の実施形態では、透明なスペーサが、フレーム１０２から内側の位置で第１のパネル２０６と第２のパネル２０８との間に配置されている。一例として、スペーサは、限定された長手方向および横方向の範囲を有する透明材料の層であり得る。別の例として、スペーサは、横方向または長手方向に細長くてもよい。別の例として、スペーサは、グリッド内で互いに交差する細長い横方向部分および細長い長手方向部分を含むことができる。このような実施形態では、間隙３１４は、スペーサの周囲およびスペーサの間に設けられ、接続されていない部分に分割され得る。
【００４０】
第１のパネル２０６は、第１の電気接続部３１６に接続されている。第１の電気接続部３１６は、電源および／またはコントローラに接続されており、第１のパネル２０６に組み込まれる１つ以上の能動部品に電力および／または制御信号を提供する。
【００４１】
光源３１８は、第２のパネル２０８の縁部に隣接する第１のフレーム部分２０２ａによって支持されている。光源３１８は、第２のパネル２０８の周辺部の全てまたは一部に沿って延在することができる。本明細書に記載されるように、光源３１８は、第２のパネル２０８の構造と組み合わせて、光が第２のパネル２０８を通って運ばれ、本明細書にさらに記載されるように、制御された方法で放出されるように第２のパネル２０８内に光を向けるエッジ照明アセンブリである。光源３１８は、第２の電気接続部３２０に接続されている。第２の電気接続部３２０は電源および／またはコントローラに接続されており、光源３１８のアクティプ化および非アクティブ化を可能にして、光源３１８の強度を制御し、および／または光源３１８の色を制御する。他の能動部品が第２のパネル２０８内に含まれる実施形態では、他の電気接続部が第２のパネル２０８に提供されてもよい。
【００４２】
図４は、第１のパネル２０６の第１の例示的構造を示す図である。第１のパネル２０６は、透明若しくは半透明の層から形成された積層パネルであるか、または後述するように、能動部品の制御を受けて透明若しくは半透明になることができる積層パネルである。この実施形態では、第１のパネル２０６は、上部から下部への順序で、第１の層４２２、第１の中間層４２３、第２の層４２４、第２の中間層４２５、および第３の層４２６を含み、これらは例えば、熱および圧力の適用を含む積層プロセスで一緒に接合される。
【００４３】
第１の層４２２および第３の層４２６は透明な層である。第１の層４２２および第３の層４２６は、能動部品を含まなくてもよい。一例として、第１の層４２２および第３の層４２６は、ソーダ石灰ガラスなどのケイ酸塩ガラスから形成されてもよい。別の例として、第１の層４２２および第３の層４２６は、透明若しくは半透明のポリマー、または透明若しくは半透明のポリカーボネートから形成されてもよい。
【００４４】
第２の層４２４には、可変光透過技術が組み込まれる。第２の層４２４は、第１の電気接続部３１６を使用して第２の層４２４に提供される制御信号によって制御可能であり、第１のパネル２０６を通る光透過度を変更する。例えば、第１のパネル２０６を透過する光の程度は、第１の電気接続部３１６により第２の層４２４に送られる制御信号の電圧によって制御可能である。第１の電気接続部３１６は、第２の層４２４の可変光透過特性を制御できるように、インジウムスズ酸化物（ＩＴＯ）電極などの透明電極を組み込んでもよい。
【００４５】
制御信号は第２の層４２４に現在の光透過率特性を変更させることができ、第２の層４２４は、制御信号に応答して、第１の光透過率値から第２の光透過率値を有する状態に変更される。第２の層４２４を実装するために使用され得る技術としては、懸濁粒子デバイス、エレクトロクロミックデバイス、ポリマー分散液晶（ＰＬＤＣ）デバイス、ゲストホスト液晶（ＧＨＬＣ）デバイス、および切替え可能なミラーデバイスが挙げられる。これらの技術のいくつかは、フィルムの形態で実装され、そのような実施形態では、第２の層４２４には、ガラスまたはポリカーボネートなどの透明構造体上に可変光透過フィルムが含まれる。一例として、第２の層４２４は、ポリマー材料中に分散された液晶を含有する電圧制御可能なフィルムであるポリマー分散液晶（ＰＤＬＣ）フィルムを含むことができる。ＰＤＬＣフィルムは、閾値を上回る電圧が第１の電気接続部３１６によって印加されると透明になり、閾値を下回る電圧値に対応して透明と不透明との間で変化する。別の例として、第２の層４２４は、切換え可能なミラー層であってもよく、または透明若しくは半透明の状態と反射状態との間の状態を変化させることができる切換え可能なミラーフィルムを含んでもよい。一例として、状態の変化は、第２の層４２４の少なくとも一部分への電圧の印加または印加の停止によって誘導され得る。一例として、第２の層４２４は、電圧の印加時に透明または半透明と反射との間の状態を変化させる反射水素化物を有する遷移金属水素化物エレクトロクロミックデバイスを組み込むことができる。第２の層４２４内に切換え可能なミラーを実装するために、他の技術を使用することができる。
【００４６】
第１の層４２２は、第１の中間層４２３によって第２の層４２４に接合され、第２の層４２４は、第２の中間層４２５によって第３の層４２６に接合されている。第１の中間層４２３および第２の中間層４２５は、隣接するパネルを一緒に接着する透明接着剤層であってもよい。第１の中間層４２３および第２の中間層４２５として用いることができる材料としては、ポリビニルブチラール（ＰＶＢ）およびエチレン−酢酸ビニル（ＥＶＡ）が挙げられる。第１の中間層４２３および第２の中間層４２５に好適な他の材料としては、熱硬化性ＥＶＡ、熱可塑性ポリウレタン（ＴＰＵ）、およびポリエステル（ＰＥ）が挙げられる。
【００４７】
図５は、可変光透過を含む、図４の第１のパネル２０６についての第１の例示的構造の第２の層４２４の一例を示す図である。図示された実施例では、第２の層４２４は、ガラスまたはプラスチックなどの半透明または透明材料、５２４ａを含む。透明材料５２４ａの上面（図示した）または下面のうちの一方には、可変光透過フィルム５２４ｂおよび電極層５２４ｃが設けられる。可変光透過フィルム５２４ｂは、前述のように、ＰＤＬＣフィルムであってもよい。電極層５２４ｃは、可変光透過フィルム５２４ｂの可変光透過特性を変えるために電気を伝導することができる材料を含むか、またはそれから形成される。電極層５２４ｃは、例えば、インジウムスズ酸化物（ＩＴＯ）電極などの透明電極を含んでもよい。
【００４８】
図６は、第１のパネル２０６の第２の例示的構造を示す図である。第１のパネル２０６は、透明若しくは半透明の層から形成された積層パネルであるか、または後述するように、能動部品の制御を受けて透明若しくは半透明になることができる積層パネルである。この実施形態では、第１のパネル２０６は、上部から下部への順序で、第１の層６２２、第１の中間層６２３、第２の層６２４、第２の中間層６２５、および第３の層６２６を含み、例えば、熱および圧力の適用を含む積層プロセスで一緒に接合される。
【００４９】
第１の層６２２および第２の層６２４は、図４の第１の層４２２および第３の層４２６に関して記載されたように、ガラスまたはプラスチック（例えば、ポリカーボネート）の透明な層である。第３の層６２６は、図４の第２の層４２４に関して記載されたように、可変光透過特性を有する活性層である。第３の層６２６は、第１の電気接続部３１６を使用して第３の層６２６に与えられる制御信号によって制御可能であり、第１のパネル２０６を通る光透過度を変更する。図６の実施形態は、能動部品を含む層が積層構造体の外層である点で、図４の実施形態とは異なる。
【００５０】
第１の層６２２は、第１の中間層６２３によって第２の層６２４に接合され、第２の層６２４は、第２の中間層６２５によって第３の層６２６に接合されている。第１の中間層６２３および第２の中間層６２５は、第１の中間層４２３および第２の中間層４２５について記載した通りである。
【００５１】
図４、図６、および図７に示された実施例に加えて、積層パネルおよび非積層パネルを含めて、可変光透過を組み込む透明パネルの他の構成を第１のパネル２０６に利用することができる。
【００５２】
図７は、第１のパネル２０６の第３の例示的構造を示す図である。この例では、第１のパネル２０６は、透明若しくは半透明であるか、または能動部品の制御を受けて透明若しくは半透明となることができる非積層パネルである。第１のパネル２０６は、第１の電気接続部３１６に接続されており、かつ第１の電気接続部３１６によって制御される第１の層を含む。
【００５３】
第１の層７２２は、図４の第２の層４２４に関して記載されたように、可変光透過特性を有する活性層である。第１の層７２２は、第１の電気接続部３１６を使用して第１の層７２２に与えられる制御信号によって制御可能であり、第１のパネル２０６を通る光透過度を変更する。図７の実施形態は、能動部品を含む層が、ガラスおよび／またはプラスチックの複数の半透明または透明の層を含む積層構造の一部ではない点で、図４の実施形態とは異なる。
【００５４】
図８は、第２のパネル２０８の第１の例示的構造を示す図である。第２のパネル２０８は、透明または半透明の層から形成された積層パネルである。この実施形態では、第２のパネル２０８は、上部から下部への順序で、第１の層８２２、第１の中間層８２３、第２の層８２４、第２の中間層８２５、および第３の層８２６を含み、これらは、例えば、熱および圧力の適用を含む積層プロセスで一緒に接合される。
【００５５】
第１の層８２２および第３の層８２６は、図４の第１の層４２２および第３の層４２６に関して記載されたように、ガラスまたはプラスチック（例えば、ポリカーボネート）の透明な層である。第２の層８２４は、光を放出する活性層である。
【００５６】
第１の層８２２は、第１の中間層８２３によって第２の層８２４に接合され、第２の層８２４は、第２の中間層８２５によって第３の層８２６に接合されている。第１の中間層８２３および第２の中間層８２５は、第１の中間層４２３および第２の中間層４２５に関して記載したとおりである。
【００５７】
第２の層８２４は、第２のパネル２０８の縁部から光を受光するエッジライト型の層（例えば、導光板）である。図示した実施例では、光源３１８は、第２のパネルの第２の層８２４の縁部に光を照射する。例として、光源は、発光ダイオード（ＬＥＤ）やまたは、遠隔配置されたＬＥＤ若しくはレーザーからの光を伝搬する光ファイバであってもよい。第２のパネル２０８の他の層は、光源３１８によって放出された光がそれらに入射しないように、マスク８１９によってそれらの縁部で覆われてもよい。光源３１８によって放出された光は、第１の中間層８２３および第２の中間層８２５などの隣接する層と比較して、第２の層８２４の異なる屈折率の結果として、第２の層８２４を通って実施される。縁部、溝、エッチング、表面パターニング、または粒子などの特徴は、第２の層８２４内に形成されるか、または第２の層８２４内に設けられており、光を所望の方法で第２の層８２４から第３の層８２６に向けることができる。
【００５８】
図９は、第２のパネル２０８の第２の例示的構造を示す図である。第２のパネル２０８は、透明または半透明の層から形成された積層パネルである。この実施形態では、第２のパネル２０８は、上部から下部への順序で、第１の層９２２、第１の中間層９２３、第２の層９２４、第２の中間層９２５、および第３の層９２６を含み、これらは、例えば、熱および圧力の適用を含む積層プロセスで一緒に接合される。
【００５９】
第１の層９２２および第２の層９２４は、図８の第１の層８２２および第３の層８２６に関して記載されたように、ガラスまたはプラスチック（例えば、ポリカーボネート）の透明な層である。第３の層９２６は、光を放出する活性層である。
【００６０】
第１の層９２２は、第１の中間層９２３によって第２の層９２４に接合され、第２の層９２４は、第２の中間層９２５によって第３の層９２６に接合される。第１の中間層９２３および第２の中間層９２５は、図８の第１の中間層８２３および第２の中間層８２５に関して記載したとおりである。
【００６１】
第２の層９２４は、第２のパネル２０８の縁部から光を受光するエッジライト型の層である。図示した実施例では、発光ダイオード（ＬＥＤ）であり得る光源３１８は、第２のパネルの第２の層９２４の縁部に光を照射する。第２のパネル２０８の他の層は、光源３１８によって放出された光がそれらに入射しないように、マスク９１９によってそれらの縁部で覆われてもよい。第３の層９２６は、図８の第２の層８２４と同様であり、同じ方法で構成および実装されてもよい。図９の実施形態は、能動部品を含む層が積層構造の外層である点において、図８の実施形態とは異なる。
【００６２】
図１０は、第２のパネル２０８の第３の例示的構造を示す図である。この例では、第２のパネル２０８は、透明または半透明の非積層パネルである。第２のパネル２０８は、第１の電気接続部３１６に接続されており、かつそれによって制御される第１の層１０２２を含む。
【００６３】
第１の層１０２２は、図８の第２の層８２４に関して記載されたように、光を放出する活性層である。第１の層１０２２は、光源３１８などの第２のパネル２０８の縁部からの光を受光するエッジライト型の層であり、マスク１０１９が光源３１８を覆い、光源から放出される光が、第１の層１０２２、または第１の層１０２２の縁部を通ること以外で他の構造に入るのを防止する。図１０の実施形態は、能動部品を含む層が、ガラスおよび／またはプラスチックの複数の半透明または透明の層を含む積層構造の一部ではない点で、図８の実施形態とは異なる。
【００６４】
図１１は、第２のパネル２０８の第４の例示的構造を示す図である。第２のパネル２０８は、透明または半透明の層から形成された積層パネルである。この実施形態では、第２のパネル２０８は、上部から下部への順序で、第１の層１１２２と、第１の中間層１１２３と、第２の層１１２４と、第２の中間層１１２５と、第３の層１１２６と、第３の中間層１１２７と、第４の層１１２８と、第４の中間層１１２９と、第５の層１１３０とを含み、これらは、例えば、熱および圧力の適用を含む積層プロセスで一緒に接合される。
【００６５】
第１の層１１２２および第５の層１１３０は、図８の第１の層８２２および第３の層８２６に関して記載したように、ガラスまたはプラスチック（例えば、ポリカーボネート）の透明な層である。第２の層１１２４、第３の層１１２６、および第４の層１１２８は、光の透過および／または発光に影響を及ぼす制御可能な特性を有する活性層である。
【００６６】
第２の層１１２４は、透明または半透明の状態と反射状態との間の状態を変えることができる切換え可能なミラー層である。一例として、状態の変化は、第２の層１１２４の少なくとも一部分への電圧の印加または印加の停止によって誘導され得る。一例として、第２の層１１２４は、電圧の印加時に透明または半透明と反射との間の状態を変化させる反射水素化物を有する遷移金属水素化物エレクトロクロミックデバイスを組み込むことができる。第２の層１１２４内に切換え可能なミラーを実装するために、他の技術を使用することができる。
【００６７】
第３の層１１２６は、光を放出する活性層である。例として、第２の層は、透明な導光層、エッジライト型の層、透明若しくは半透明のＯＬＥＤディスプレイデバイス、または透明若しくは半透明のマイクロＬＥＤデバイスであってもよい。
【００６８】
第１の層１１２２は第１の中間層１１２３によって第２の層１１２４に接合され、第２の層１１２４は第２の中間層１１２５によって第３の層１１２６に接合され、第３の層１１２６は第３の中間層１１２７によって第４の層１１２８に接合され、第４の層１１２８は第４の中間層１１２９によって第５の層１１３０に接合される。第１の中間層１１２３、第２の中間層１１２５、第３の中間層１１２７、および第４の中間層１１２９は、図８の第１の中間層８２３および第２の中間層８２５に関して記載したとおりである。
【００６９】
本明細書における様々な実施形態の詳細は、様々な方法で組み合わせることができることを理解されたい。例えば、パネルアセンブリ１０４は、第２のパネル２０８の実施例のいずれかと組み合わせて（例えば、図８〜図１１のように）第１のパネル２０６の実施例のいずれかを使用して（例えば、図４〜図７のように）実施することができる。第２のパネル２０８として利用することができる制御可能な発光パネル構造の更なる例は、「Ｔｒａｎｓｐａｒｅｎｔ  Ｓｔｒｕｃｔｕｒｅ  ｗｉｔｈ  Ｃｏｎｔｒｏｌｌａｂｌｅ  Ｌｉｇｈｔｉｎｇ」と題する、２０１５年１２月１日に出願された米国特許出願第１５／３６６，６８６号に見られ、その内容は、参照によりその全体が本明細書に組み込まれる。
【００７０】
図１２は、代替的な実施形態によるパネルアセンブリ１２０４の断面図を示す図である。パネルアセンブリ１２０４は、本明細書に記載されるものを除いて、パネルアセンブリ１０４と同様である。例えば、パネルアセンブリ１２０４は、パネルアセンブリ１０４に関して記載された方法で、フレーム１０２への接続を含めてアセンブリ１００に組み込むことができる。
【００７１】
パネルアセンブリ１２０４は、第１のパネル１２０６、第２のパネル１２０８、スペーサ１２１２、間隙１２１４、第１の能動部品１２３２、および第２の能動部品１２３４を含む。第１のパネル１２０６は、パネルアセンブリ１２０４の第１の側１２０１ａに隣接して配置されており、第２のパネル１２０８は、パネルアセンブリ１２０４の第２の側１２０１ｂに隣接して配置されている。代表的な実施形態では、外部空間は第１の側１２０１ａに位置し、内部空間は第２の側１２０１ｂに位置する。
【００７２】
第１のパネル１２０６および第２のパネル１２０８はそれぞれ、ガラス若しくはプラスチックの単一層を含んでもよく、または、例えば、熱および圧力の適用を含む積層プロセスで一緒に接合される複数の層を含む積層構造であってもよい。
【００７３】
スペーサ１２１２は、第１のパネル１２０６を第２のパネル１２０８から分離して間隙１２１４を画定しており、パネルアセンブリ１２０４の外周に配置されているか、またはパネルアセンブリ１２０４の外周から内側に配置されている場合がある。間隙１２１４は、真空状態であってもよく、またはガス若しくは気体混合物で充填されてもよい。スペーサ１２１２は、パネルアセンブリ１２０４の外部から間隙１２１４の内側の空間を封止する封止構造体として機能するように構成されてもよい。
【００７４】
第１の能動部品１２３２および第２の能動部品１２３４は、間隙１２１４内に配置される。第１の能動部品１２３２用の第１の電気コネクタ１２３３および第２の能動部品１２３４用の第２の電気コネクタ１２３５は、コントローラまたは他のシステムへ接続するためにパネルアセンブリ１２０４から外に延在してもよい。第１の能動部品１２３２および第２の能動部品１２３４はそれぞれ、制御可能な特性を有する。第１の能動部品１２３２および第２の能動部品１２３４はそれぞれ、例えば、可変光透過デバイスまたは照明デバイスであってもよい。可変光透過デバイスの例としては、懸濁粒子デバイス、エレクトロクロミックデバイス、ポリマー分散液晶デバイス、およびゲストホスト液晶デバイスが挙げられる。可変照明デバイスの例としては、エッジライト型パネル（例えば、導光板）、ＬＥＤパネル、マイクロＬＥＤパネル、およびディスプレイパネル（例えば、半透明のＯＬＥＤパネル）が挙げられる。
【００７５】
第１の能動部品１２３２は、（第１のパネル１２０６の間隙１２１４に面する）下側表面上に取り付けられる。一例として、第１の能動部品１２３２は、感圧接着剤（ＰＳＡ）などの従来の接着剤によって第１のパネル１２０６に接続されていてもよい。第１の能動部品１２３２は、第１のパネル１２０６の積層構造の一部ではない。第１のパネル１２０６が積層される実施形態では、積層プロセスが実行され（例えば、中間層を使用して複数の層を結合するための熱および圧力の適用を含む）、第１の能動部品１２３２は、その後、第１のパネル１２０６に取り付けられる。
【００７６】
第２の能動部品１２３４は、第２のパネル１２０８の間隙１２１４に面する上面に取り付けられる。一例として、第２の能動部品１２３４は、従来の接着剤によって第２のパネル１２０８に接続されていてもよい。第２の能動部品１２３４は、第２のパネル１２０８の積層構造の一部ではない。第２のパネル１２０８が積層される実施形態では、積層プロセスが実行され（例えば、中間層を使用して複数の層を結合するための熱および圧力の適用を含む）、第２の能動部品１２３４は、その後、第１のパネル１２０６に取り付けられる。
【００７７】
図１２に示される例は、第１の能動部品１２３２および第２の能動部品１２３４の両方を含んでいるが、パネルアセンブリ１２０４は、第１の能動部品１２３２または第２の能動部品１２３４のうちの１つのみを含み、他方を省略することができることを理解されたい。
【００７８】
図１３は、代替的な実施形態によるパネルアセンブリ１３０４の断面図を示す図である。パネルアセンブリ１３０４は、本明細書に記載されるものを除いて、パネルアセンブリ１０４と同様である。例えば、パネルアセンブリ１３０４は、パネルアセンブリ１０４に関して記載された方法で、フレーム１０２への接続を含めてアセンブリ１００に組み込むことができる。
【００７９】
パネルアセンブリ１３０４は、第１のパネル１３０６、第２のパネル１３０８、スペーサ１３１２、間隙１３１４、および第１の能動部品１３３２を含む。第１のパネル１３０６は、パネルアセンブリ１３０４の第１の側１３０１ａに隣接して配置されており、第２のパネル１３０８は、パネルアセンブリ１３０４の第２の側１３０１ｂに隣接して配置されている。代表的な実施形態では、外部空間は第１の側１３０１ａに位置し、内部空間は第２の側１３０１ｂに位置する。
【００８０】
第１のパネル１３０６および第２のパネル１３０８はそれぞれ、ガラス若しくはプラスチックの単一層を含んでもよく、または、例えば、熱および圧力の適用を含む積層プロセスで一緒に接合される複数の層を含む積層構造であってもよい。
【００８１】
スペーサ１３１２は、第１のパネル１３０６を第２のパネル１３０８から分離して間隙１３１４を画定し、パネルアセンブリ１３０４の外周に配置されているか、またはパネルアセンブリ１３０４の外周から内側に配置されている場合がある。間隙１３１４は真空状態であってもよく、またはガス若しくは気体混合物で充填されてもよい。スペーサ１３１２は、パネルアセンブリ１３０４の外部から間隙１３１４の内側の空間を封止する封止構造として機能するように構成されてもよい。
【００８２】
第１の能動部品１３３２は間隙１３１４内に配置される。第１の能動部品１３３２用の第１の電気コネクタ１３３３は、コントローラまたは他のシステムに接続するためにパネルアセンブリ１３０４から外に延在してもよい。第１の能動部品１３３２は制御可能な特性を有する。第１の能動部品１３３２は、例えば、可変光透過デバイスまたは照明デバイスであってもよい。可変光透過デバイスの例としては、懸濁粒子デバイス、エレクトロクロミックデバイス、ポリマー分散液晶デバイス、およびゲストホスト液晶デバイスが挙げられる。可変照明デバイスの例としては、エッジライト型パネル（例えば、導光板）、ＬＥＤパネル、マイクロＬＥＤパネル、およびディスプレイパネル（例えば、半透明のＯＬＥＤパネル）が挙げられる。
【００８３】
第１の能動部品１３３２は、第１のパネル１３０６と第２のパネル１３０８との間の間隙１３１４内に取り付けられる。第１の能動部品１３３２は、第１のパネル１３０６および第２のパネル１３０８から離隔していてもよい。図示された例では、スペーサ１３１２は、第１の能動部品１３３２と係合し、それを間隙１３１４内に懸架する溝１３１３などの支持構造体を含む。代替的に、間隙１３１４内に第１の能動部品１３３２を懸架させるために、他の支持構造体および／またはスペーサを使用してもよい。
【００８４】
図１３に示される例は、第１の能動部品１３３２を含み、他の能動部品を図示していないが、間隙１３１４内に追加の能動部品（例えば、第２の能動部品）を設けて、同様に支持できることを理解されたい。
【００８５】
図１４は、代替的な実施形態によるパネルアセンブリ１４０４の断面図を示す図である。パネルアセンブリ１４０４は、本明細書に記載されるものを除いて、パネルアセンブリ１３０４と同様である。パネルアセンブリ１４０４は、第１のパネル１４０６と、第２のパネル１４０８と、スペーサ１４１２と、間隙１４１４と、照明デバイス１４１８と、図示の実施例ではエッジライト型パネル（例えば、導光板）である第１の能動部品１４３２と、第１の能動部品１４３２のための第１の電気コネクタ１４３３とを含む。第１のパネル１４０６は、パネルアセンブリ１４０４の第１の側１４０１ａに隣接して配置されており、第２のパネル１４０８は、パネルアセンブリ１４０４の第２の側１４０１ｂに隣接して配置されている。代表的な実施形態では、外部空間は第１の側１４０１ａに位置し、内部空間は第２の側１４０１ｂに位置する。
【００８６】
スペーサ１４１２は、第１のパネル１４０６を第２のパネル１４０８から分離して間隙１４１４を画定し、パネルアセンブリ１４０４の外周に配置されているか、またはパネルアセンブリ１４０４の外周から内側に配置されている場合がある。第１の能動部品１４３２は、第１の能動部品１４３２が第１のパネル１４０６と第２のパネル１４０８との間に懸架されるように、スペーサ１４１２を通ってまたはスペーサ１４１２の間に延在する。ＬＥＤまたは遠隔照明光ファイバなどの照明デバイス１４１８は、スペーサ１４１２から外側に位置している。第１の能動部品１４３２の外縁は、第１のパネル１４０６および／または第２のパネル１４０８の外縁から外側に位置しており、したがって間隙１４１４の外側に位置していてもよい。
【００８７】
代替的な実施形態では、第１の能動部品１４３２は、第１のパネル１４０６または第２のパネル１４０８のうちの１つに隣接して（例えば、接着剤で装着されて）、スペーサ１４１２を第１の能動部品１４３２の反対側に位置させて間隙１４１４を画定してもよい。
【００８８】
図１５Ａは、代替的な実施形態による、フレーム１５０２およびパネルアセンブリ１５０４の断面図を示す図である。パネルアセンブリ１５０４は、本明細書に記載されるものを除いて、パネルアセンブリ１３０４と同様である。パネルアセンブリ１５０４は、第１のパネル１５０６と、第２のパネル１５０８のスペーサ１５１２と、間隙１５１４と、照明デバイス１５１８と、第１の能動部品１５３２（図示された例では、エッジライト型パネル（例えば、導光板））と、第１の電気コネクタ１５３３と、可変光透過デバイスなどの第２の能動部品１５３４と、および第２の電気コネクタ１５３５とを含む。第１のパネル１５０６は、パネルアセンブリ１５０４の第１の側１５０１ａに隣接して配置されており、第２のパネル１５０８は、パネルアセンブリ１５０４の第２の側１５０１ｂに隣接して配置されている。代表的な実施形態では、外部空間は第１の側１５０１ａに位置し、内部空間は第２の側１５０１ｂに位置する。
【００８９】
スペーサ１５１２は、第１のパネル１５０６を第２のパネル１５０８から分離して間隙１５１４を画定し、第１のパネル１５０６または第２のパネル１５０８のうちの１つの外周に配置されているか、または内側に配置されている場合がある。第１の能動部品１５３２は、スペーサ１５１２を越えて延在し、図示の例ではスペーサ１５１２と第２のパネル１５０８との間に位置している。ＬＥＤまたは遠隔照明光ファイバなどの照明デバイス１５１８は、スペーサ１５１２から外側に位置しており、したがって間隙１５１４の外側に位置していてもよい。第２の能動部品１５３４は、第１のパネル１５０６の下面に（例えば、接着剤によって）取り付けられる。第２の能動部品１５３４は、スペーサ１５１２を越えて延在する第２の電気コネクタ１５３５に接続されており、第１のパネル１５０６の下面に取り付けられるかまたはその上に形成されるバスバーを組み込んでもよい。
【００９０】
第１のパネル１５０６の外縁は、第２のパネル１５０８および第１の能動部品１５３２よりも外側に延在する。その外縁において、第１のパネル１５０６は、第１の肩部１５０３ａによってなど、フレーム１５０２によって支持されており、横方向シール１５３６ａおよび／または垂直シール１５３６ｂを介して第１の肩部１５０３ａと係合することができる。第２のパネル１５０８の外縁は、第２のパネル１５０８および第１の能動部品１５３２に対して内側に位置していてもよく、フレーム１５０２の第２の肩部１５０３ｂおよび垂直封止部１５３６ｃによって支持されていてもよい。いくつかの実施形態では、第２の肩部１５０３ｂは省略され、パネルアセンブリ１５０４は第１の肩部１５０３ａから懸架されている。
【００９１】
照明デバイス１５１８は、フレーム１５０２とパネルアセンブリ１５０４との間に画定された開放領域内に、第１の肩部１５０３ａおよび第２の肩部１５０３ｂの下に設けることができる。封入材料（図示せず）を、パネルアセンブリ１５０４の外周に設けてもよい。
【００９２】
代替として、第１の能動部品１５３２は、第１のパネル１５０６の下面または第２のパネル１５０８の上面（例えば、接着剤によって結合された）と接触して、間隙１５１４を画定するためにスペーサ１５１２を第１の能動部品１５３２の反対側に位置させてもよい。
【００９３】
図１５Ｂは、フレーム１５０２が第２の肩部１５０３ｂを省略し、代わりに第１の肩部１５０３ａを用いて第１のパネル１５０６を支持することによってパネルアセンブリ１５０４が単独にまたは主に支持されている、代替的な実施形態によるフレーム１５０２およびパネルアセンブリ１５０４の断面図である。
【００９４】
図１６は、照明システム１６４０を示すブロック図である。照明システム１６４０は、コントローラ１６４２、ユーザインタフェースデバイス１６４４、照明デバイス１６４６、および可変光透過デバイス１６４８を含むことができる。コントローラ１６４２は、ユーザインタフェースデバイス１６４４、照明デバイス１６４６および可変光透過デバイス１６４８と電子的に通信（すなわち、有線または無線通信）することによって、照明システム１６４０の様々な構成要素の動作を調整する。コントローラ１６４２は、ユーザインタフェースデバイス１６４４から、および／または照明システム１６４０の他の構成要素から、情報（例えば、信号および／またはデータ）を受信できる。照明システム１６４０は、アセンブリ１００の構成要素と接続して使用され、アセンブリ１００の構成要素を含むことができる。
【００９５】
ユーザインタフェースデバイス１６４４により、ユーザは、照明システム１６４０の動作の態様を変更し、照明システム１６４０に所望の状態を設定することが可能となる。ユーザインタフェースデバイス１６４４により、照明デバイス１６４６および可変光透過デバイス１６４８の動作パラメータを変更することが可能となる。
【００９６】
照明デバイス１６４６は、コントローラ１６４２によって制御可能な電気照明デバイスであってもよい。例えば、コントローラは、照明デバイス１６４６の点灯、消灯、強度変更、または色彩変更を行う信号を出力することができる。
【００９７】
可変光透過デバイス１６４８は、ガラスパネルなどの光の透過を可能にする構造を介した光の透過に、可変光透過技術を利用する。可変光透過デバイス１６４８は、コントローラ１６４２からの信号などの制御信号によって操作することができる。制御信号は、可変光透過デバイス１６４８に、現在の光透過特性を、例えば、第１の光透過値から第１の光透過値とは異なる第２の光透過値を有するように、または光透過状態から光反射（ミラー）状態に変化させることができる。可変光透過デバイス１６４８を実装するために使用され得る技術としては、懸濁粒子デバイス、エレクトロクロミックデバイス、ポリマー分散液晶デバイス、およびゲストホスト液晶デバイスが挙げられる。
【００９８】
図１７は、コントローラ１６４２および／または照明システム１６４０の他の部分を実装するために使用され得るコントローラ１７５０のハードウェア構成の一例を示す。コントローラ１７５０は、プロセッサ１７５２と、メモリ１７５４と、記憶装置１７５６と、１つ以上の入力デバイス１７５８と、１つ以上の出力デバイス１７６０とを含むことができる。これらの構成要素は、構成要素間の通信を可能にするバス１７６２などのハードウェアによって相互接続されていてもよい。プロセッサ１７５２は、中央処理装置などの従来のデバイスであってもよく、コンピュータプログラム命令を実行し、コンピュータプログラム命令によって記述された動作を実行するように動作可能である。メモリ１７５４は、ランダムアクセスメモリモジュールなどの揮発性の高速短期情報記憶装置であってもよい。記憶装置１７５６は、ハードドライブまたはソリッドステートドライブなどの不揮発性情報記憶装置であってもよい。入力デバイス１７５８は、ボタン、スイッチ、キーボード、マウス、タッチスクリーン入力デバイス、ジェスチャ入力デバイス、またはオーディオ入力デバイス（例えば、マイクロフォン）などの任意の種類のヒューマン・マシンインタフェースを含むことができる。出力デバイス１７６０は、表示スクリーンまたはオーディオ出力などの、動作状態に関するインジケーションをユーザに提供するように動作可能な任意のタイプのデバイスを含むことができる。
【図１】
2020537175.tif 000003
【図２】
2020537175.tif 000004
【図３】
2020537175.tif 000005
【図４】
2020537175.tif 000006
【図５】
2020537175.tif 000007
【図６】
2020537175.tif 000008
【図７】
2020537175.tif 000009
【図８】
2020537175.tif 000010
【図９】
2020537175.tif 000011
【図１０】
2020537175.tif 000012
【図１１】
2020537175.tif 000013
【図１２】
2020537175.tif 000014
【図１３】
2020537175.tif 000015
【図１４】
2020537175.tif 000016
【図１５Ａ】
2020537175.tif 000017
【図１５Ｂ】
2020537175.tif 000018
【図１６】
2020537175.tif 000019
【図１７】
2020537175.tif 000020
【手続補正書】
【提出日】令和2年4月17日(2020.4.17)
【手続補正１】
【補正対象書類名】特許請求の範囲
【補正対象項目名】請求項１０
【補正方法】変更
【補正の内容】
【請求項１０】
前記第２の能動部品がエッジライト型ガラスパネルである、請求項５から７のいずれか１項に記載の光透過性パネルアセンブリ。
【国際調査報告】
2020537175.tif 000021
2020537175.tif 000022